(57)【要約】      （修正有）【課題】緊急時に内部からでることができ安全性及び利便性を有する遊戯用具または運動用具として用いることができる空気注入式球体型水上用具を提供する。【解決手段】透明の合成樹脂で形成され空気を内部に注入することで空洞２１の球体２０となり、空洞に人Ｈが入った状態で球体が水の上を浮上するように構成されている空気注入式球体型水上用具１０であって、非常口４０には、内部から開閉される防水性の第２のファスナー４１が装着され、第２のファスナーの開閉により人が外部に出られるように形成されている。出入口３０は、第１のファスナー３１の内側に外部から開閉されるように装着された第３のファスナー３２が設けられた２重構造で形成され、非常口４０は、第２のファスナー４１の内側に、内部から開閉される第４のファスナー４２が設けられた２重ファスナー構造で形成されている。【選択図】図１
0003201313.tif 000002
【実用新案登録請求の範囲】
【請求項１】
透明の合成樹脂で形成され空気を内部に注入することで空洞の球体となり、前記空洞に人が入った状態で前記球体が水の上を浮上するように構成されている空気注入式球体型水上用具であって、
前記球体は、外部から開閉する機能を有する出入口と、前記内部から開閉する機能を有する非常口と、を有することを特徴とする空気注入式球体型水上用具。
【請求項２】
前記出入口は、前記外部から開閉される防水性の第１のファスナーが装着され、前記第１のファスナーの開閉により前記人が前記外部から前記内部に入るように形成され、
前記非常口は、前記内部から開閉される防水性の第２のファスナーが装着され、前記第２の防水ファスナーの開閉により前記人が前記内部から前記外部に出られるように形成されていることを特徴とする請求項１に記載の空気注入式球体型水上用具。
【請求項３】
前記出入口は、前記第１のファスナーの内側に、前記外部から開閉される第３のファスナーが設けられた２重ファスナー構造で形成され、
前記非常口は、前記第２のファスナーの内側に、前記内部から開閉される第４のファスナーが設けられた２重ファスナー構造で形成されていることを特徴とする請求項２に記載の空気注入式球体型水上用具。
【請求項４】
前記第１のファスナーと前記第３のファスナーが装着されている前記出入口と、前記第２のファスナーと前記第４のファスナーが装着されている前記非常口は、ターポリンで形成されていることを特徴とする請求項３に記載の空気注入式球体型水上用具。
【請求項５】
前記人が前記内部に入っている状態で、前記人がつかめるように前記内部に設けられた複数のフックを有することを特徴とする請求項４に記載の空気注入式球体型水上用具
【請求項６】
前記球体は、前記ファスナーが閉まっている状態で、前記内部に空気を注入し、空気圧を調整するエアバルブを有することを特徴とする請求項５に記載の空気注入式球体型水上用具。
【請求項７】
前記合成樹脂は紫外線防止機能を有することを特徴とする請求項１から請求項６のいずれか１項に記載の空気注入式球体型水上用具。
【請求項８】
前記合成樹脂は紫外線防止機能付のポリ塩化ビニール、または紫外線防止機能付のポリウレタンであることを特徴とする請求項７に記載の空気注入式球体型水上用具。
【考案の詳細な説明】
【技術分野】
【０００１】
本考案は、空気注入式球体型水上用具に関する。
【背景技術】
【０００２】
空気が注入された透明な球体の中に人が入り水上に浮くことで、水の上で水上散歩などを行うことができる空気注入式球体型水上用具が知られている。
【考案の概要】
【考案が解決しようとする課題】
【０００３】
上記の空気注入式球体型水上用具において、緊急時に内部の人が外にでることができない、内部の人が動くことで出入口が破損し開閉する恐れがある、日差しによる紫外線を直接受け浴びてしまう、出入口の耐久性と強度がない、内部の空気圧を調整できない、及び内部に人が入っているときの安定性がない、という問題があった。
【０００４】
そこで本考案は、このような課題を解決するためになされたもので、緊急時に内部からでることができ、出入口と非常口を強固にすることができ、紫外線を防止することができ、出入口と非常口の素材を耐久性と強度のあるものにでき、内部の空気圧を調整でき、及び内部の人を安定させることができ、遊戯用具または運動用具として用いることができる空気注入式球体型水上用具を提供することを目的とする。
【課題を解決するための手段】
【０００５】
上記課題を解決するために、本考案に係る空気注入式球体型水上用具は、透明の合成樹脂で形成され空気を内部に注入することで空洞の球体となり、前記空洞に人が入った状態で前記球体が水の上を浮上するように構成されている空気注入式球体型水上用具であって、前記球体は、外部から開閉する機能を有する出入口と、前記内部から開閉する機能を有する非常口と、を有することを特徴とする。
【０００６】
本考案に係る空気注入式球体型水上用具の態様について、前記出入口は、前記外部から開閉される防水性の第１のファスナーが装着され、前記第１のファスナーの開閉により前記人が前記外部から前記内部に入るように形成され、前記非常口は、前記内部から開閉される防水性の第２のファスナーが装着され、前記第２の防水ファスナーの開閉により前記人が前記内部から前記外部に出られるように形成されていることが好ましい。
【０００７】
本考案に係る空気注入式球体型水上用具の態様について、前記出入口は、前記第１のファスナーの内側に、前記外部から開閉される第３のファスナーが設けられた２重ファスナー構造で形成され、前記非常口は、前記第２のファスナーの内側に、前記内部から開閉される第４のファスナーが設けられた２重ファスナー構造で形成されていることが好ましい。
【０００８】
本考案に係る空気注入式球体型水上用具の態様について、前記第１のファスナーと前記第３のファスナーが装着されている前記出入口と、前記第２のファスナーと前記第４のファスナーが装着されている前記非常口は、ターポリンで形成されていることが好ましい。
【０００９】
本考案に係る空気注入式球体型水上用具の態様について、前記人が前記内部に入っている状態で、前記人がつかめるように前記内部に設けられた複数のフックを有することが好ましい。
【００１０】
本考案に係る空気注入式球体型水上用具の態様について、前記球体は、前記ファスナーが閉まっている状態で、前記内部に空気を注入し、空気圧を調整するエアバルブを有することが好ましい。
【００１１】
本考案に係る空気注入式球体型水上用具の態様について、前記合成樹脂は紫外線防止機能を有することが好ましい。
【００１２】
本考案に係る空気注入式球体型水上用具の態様について、前記合成樹脂は紫外線防止機能付のポリ塩化ビニール、または紫外線防止機能付のポリウレタンであることが好ましい。
【考案の効果】
【００１３】
本考案の空気注入式球体型水上用具によれば、緊急時に内部からでることができ、出入口と非常口を強固にすることができ、紫外線を防止することができ、出入口と非常口の素材を耐久性と強度のあるものにでき、内部の空気圧を調整でき、及び内部の人を安定させることができ、遊戯用具または運動用具として用いることができる空気注入式球体型水上用具を提供することを目的とする。
【図面の簡単な説明】
【００１４】
【図１】実施形態の空気注入式球体型水上用具を示す模式図である。
【図２】２重ファスナーを説明する模式図である。
【図３】２重ファスナーを説明する他の模式図である。
【図４】実施形態の２重ファスナーを示す参考図である。
【図５】実施形態の空気注入式球体型水上用具を示す参考図である。
【考案を実施するための形態】
【００１５】
以下、本考案の空気注入式球体型水上用具の実施形態を図１から図５を用いて説明する。
【００１６】
図１に示すように、空気注入式球体型水上用具１０は、透明の合成樹脂で形成された球体２０の内部に空気を注入することで、内部が空洞２１の球体状の球体２０の内部に人Ｈが入ることができ、人Ｈが内部に入った状態で球体２０が水の上を浮上するように構成されている。
【００１７】
空気注入式球体型水上用具１０は、外部から開閉する機能を有する出入口３０と、内部から開閉する機能を有する非常口４０とを球体２０に有しており、出入口３０は、外部から開閉される防水性の第１のファスナー３１が装着され、第１のファスナー３１の開閉により人Ｈが、球体２０の外部から前記内部に入ることができるように形成されている。
【００１８】
また、非常口４０は、内部から開閉される防水性の第２のファスナー４１が装着され、第２のファスナー４１の開閉により人Ｈが内部から外部に出られるように形成されている。
【００１９】
空気注入式球体型水上用具１０は、さらに、出入口３０が、実線で示す第１のファスナー３１の内側に、外部から開閉されるように装着された破線で示す第３のファスナー３２が設けられた２重ファスナー構造で形成されている。
【００２０】
非常口４０は、破線で示す第２のファスナー４１の内側に、内部から開閉される実線示す第４のファスナー４２が設けられた２重ファスナー構造で形成されている。
【００２１】
第１のファスナー３１と第３のファスナー３２が装着されている出入口３０は、ターポリンで形成され、また、第２のファスナー４１と第４のファスナー４２が装着されている非常口４０も、ターポリンで形成されている。
【００２２】
なお、図１に示す出入口３０は、球体２０の外部から見た図であり、非常口４０は、球体２０の内部から見た図であり、第１のファスナー３１と第４のファスナー４２が実線で示されており、第２のファスナー４１と第３のファスナー３２が破線で示されている。
【００２３】
また、第３のファスナー３２と第４のファスナー４２は、外側と内側の両側から開閉できる構成にしてもよい。
【００２４】
上記のとおり、空気注入式球体型水上用具１０は、出入口３０に加え非常口４０を有しており緊急時などにおいて球体２０の内部から外に出ることができる構成であり、さらにそれぞれが図２から図４に示すような２重ファスナー構造で構成されている。
【００２５】
図２は、第１のファスナー３１と第３のファスナー３２からなる２重ファスナーと、第２のファスナー４１と第４のファスナー４２とからなる２重ファスナーが、一体的になる前のそれぞれのファスナーの状態を示す模式図であり、また、図３は、２重ファスナーとして第１のファスナー３１と第３のファスナー３２が一体的または第２のファスナー４１と第４のファスナー４２が一体的に形成された状態を示す模式図である。
【００２６】
図４は、図１に示す第２のファスナー４１と第４のファスナー４２が２重ファスナーとして形成されている参考図であり、非常口４０にファスナーが装着されているファスナーの具体例を示しており、例えば、ターポリンで形成された素材に第４のファスナー４２が縫製され、第４のファスナー４２を第２のファスナー４１の上に載置して、第４のファスナー４２の周囲をウェウダー溶着させることで２重ファスナーが形成される。
【００２７】
このように空気注入式球体型水上用具１０においては、出入口３０と非常口４０の２重ファスナーが装着されている部分の素材は、耐久性と強度がある防災用テント地などに用いられるターポリンが使用されており、外側には、気密性の高い超防水ファスナーを用いて、且つ、内側にもファスナーを取り付けることにより、例えば、球体２０の内部で人Ｈが立ったり転がったりしたときに、一点に体重の２倍の負荷がかかった場合においても破損することを防ぐことができる構成となっている。
【００２８】
また、人Ｈが球体２０の空洞２１に入っている状態で、人Ｈが安定性を保つためにつかめるように球体２０の内部、つまり内側にフック５０が設けられており、このフック５０は、複数のフック５０を有する構成であってもよい。
【００２９】
また、空気注入式球体型水上用具１０は、第１から第４のファスナーが閉まっている状態であっても、内部に空気を注入し、空洞２１の空気圧を増加し、または調整することができるエアバルブ６０を備えており、このエアバルブ６０は、ターポリンで形成された素材の部分に取り付けられることが望ましい。
【００３０】
このようなエアバルブ６０を球体２０に取り付けることで、ファスナーが閉まっている状態でも、例えば、小型のブロアなどで空気を注入することができ、且つ、外側から内部の空気圧を調整することができる。
【００３１】
また、球体２０を構成している合成樹脂は、紫外線防止機能を有しており、例えば、この合成樹脂は、紫外線防止機能付のポリ塩化ビニール、または紫外線防止機能付のポリウレタン素材としており、このような素材を使用することで、日焼けを嫌う人、特に女子に対して対応できる構成となる。
【００３２】
図５は、図１に示す空気注入式球体型水上用具１０の参考図であり、球体２０にファスナーが装着されている２重ファスナーの具体例を示し、球体２０が透明の合成樹脂で形成されていることを具体的に示している。
【００３３】
上記のような特徴を有する本考案の空気注入式球体型水上用具は、人が球体の内部に入っている状態であっても、内部から開閉できるファスナーを有していることより、自由に球体から出入りすることができる構成であり、安全性、利便性などの向上を図ることができものである。
【００３４】
また、実施形態の空気注入式球体型水上用具１０は、座ったり仰向けになって空を眺めたり、うつ伏せになって水中を覗いたりするなどの遊戯用具として用いてもよいが、運動道具としても用いることもでき、例えば、バランストレーニングの展開で、ボールの中に入って不安定な水の上で立つ練習することを行うことにより、本来の人間が持つ平衡感覚を養う運動用具としても活用することができる。
【００３５】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００３６】
また、空気注入式球体型水上用具の大きさや形状、素材、素材の厚さ、重さなどについては多様な実施形態が可能であり、それらについて本実施形態と異なる形態による実施は、本考案の技術的範囲に含まれる。
【符号の説明】
【００３７】
１０  空気注入式球体型水上用具
２０  球体
２１  空洞
３０  出入口
３１  第１のファスナー
３２  第３のファスナー
４０  非常口
４１  第２のファスナー
４２  第４のファスナー
５０  フック
６０  エアバルブ
Ｈ    人
【図１】
0003201313.tif 000003
【図２】
0003201313.tif 000004
【図３】
0003201313.tif 000005
【図４】
0003201313.tif 000006
【図５】
0003201313.tif 000007